(57)【要約】【課題】利用者の要望を収集する機会が極めて少ない環境下においても対象空間の温度を適切に調整する。【解決手段】空調制御装置１の目標温度変更手段（演算処理部１０）は、複数種類の要望情報毎に要望率演算手段（演算処理部１０）で演算された複数種類の要望率の比率に応じて目標温度を変更するとともに、複数種類の要望率の比率が高くなるにつれて目標温度の変更幅を大きくする。故に、利用者の要望を収集する機会が極めて少ない環境下においても対象空間（教室）の温度を適切に調整することができる。【選択図】図１
2009204187.tif 000002
【特許請求の範囲】
【請求項１】
対象空間の温度を変動させる空調機器と、当該対象空間の温度を目標温度に一致させるように空調機器の動作を制御する空調制御装置と、前記対象空間に存在する利用者が入力する当該対象空間の温度に対する要望情報を受け付けるとともに当該要望情報を空調制御装置に提供する入力装置とを備え、
空調制御装置は、所定の受付時間内に入力装置で受け付けられた全ての要望情報を解析し、当該利用者の総数に対する同一内容の要望情報の個数の割合からなる要望率を、互いに内容が異なる複数種類の要望情報毎に演算する要望率演算手段と、複数種類の要望情報毎に要望率演算手段で演算された複数種類の要望率の比率に応じて目標温度を変更する目標温度変更手段とを具備し、
目標温度変更手段は、複数種類の要望率の比率が高くなるにつれて目標温度の変更幅を大きくすることを特徴とする空調制御システム。
【請求項２】
目標温度変更手段は、複数種類の要望率の比率に応じて目標温度を変更した後に所定時間が経過したら、複数種類の要望率の比率に応じて変更した目標温度の変更幅よりも狭い変更幅で、且つ前記所定時間の経過前に行われた目標温度の変更と逆向きに目標温度を変更することを特徴とする請求項１記載の空調制御システム。
【請求項３】
目標温度変更手段は、前記所定時間経過前に行われた目標温度の変更向きが相対的にエネルギ消費を減らす場合には、前記所定時間経過後に目標温度を逆向きに変更しないことを特徴とする請求項２記載の空調制御システム。
【請求項４】
複数の対象空間毎に設けられた前記空調機器及び空調制御装置及び入力装置と、各対象空間の空調制御装置を個別に制御するセンタ装置とを備え、
センタ装置は、各空調制御装置から目標温度の変更に関する情報を収集し、複数の空調制御装置における目標温度の変更がエネルギ消費を増やす向きの変更である場合には、当該複数の空調制御装置が目標温度を変更するタイミングをずらすように各空調制御装置を制御することを特徴とする請求項２又は３記載の空調制御システム。
【発明の詳細な説明】
【技術分野】
【０００１】
本発明は、空調制御システムに関するものである。
【背景技術】
【０００２】
近年、温暖化による省エネルギの社会的要求が高まっている。現在の省エネルギ法は、民生部門に対して、機器単体の省エネルギ性能の向上だけでなく、ＢＥＭＳ（Building and Energy ManagementSystem）などを利用した管理面での省エネルギも義務付けている。
【０００３】
しかし、ビル管理の実態として、ビル管理者は必ずしも快適性および省エネルギの観点から冷房、暖房等の空調機器を適切に運用しているわけではない。特に、省エネルギと快適性とが複雑に関係する居住空間の温熱環境管理（例えば、温度管理）に関しては、管理の容易さから慣習的な目標温度を設定し、温熱環境を享受する利用者からのクレームによって設定値を変更する場合が一般的である。
【０００４】
つまり、建物や居住者の特性を十分に考慮しないで温度管理を行うため、居住空間は必ずしも利用者の快適な状態に保たれず、さらには空調機器で消費されるエネルギの無駄が発生する場合がある。また、利用者はビル管理者の管理する温熱環境下におり、自己の温熱環境をコントロールできないことに対して不満がある利用者もいる。
【０００５】
このような空調制御の温度管理がもたらす問題に対して、利用者の温熱環境に対する要望を各個人が操作するパーソナルコンピュータ端末（以下、パソコンと称す）からリアルタイムで収集し、収集された各要望に基づいて目標温度を設定する空調制御システムがあり、利用者が要望する温熱環境と目標温度とをリアルタイムに関連付け、時々刻々と変化する利用者特性や、居住空間の実際の温度と検出温度との差などの各建物の特性に応じて温熱環境を変化させることを可能にしている（例えば、特許文献１参照）。
【０００６】
また、空調制御システムによって省エネルギ化を図るために、冷房時には運転開始時の目標温度を高くし、暖房時には運転開始時の目標温度を低くしておけば、利用者は、空調の運転開始後から自分の要望を発信して温熱環境を調節することができるので、温熱環境に対する納得感が向上し、さらに省エネルギに対する意識も向上して、さらなる省エネルギ化が可能になる。
【特許文献１】特開２００４−２０５２０２号公報
【発明の開示】
【発明が解決しようとする課題】
【０００７】
ところで、昨今では小学校や中学校でも教室に空調機器が設置されているが、小学生や中学生では他人に対して配慮する意識が未熟であるため、空調機器の設定温度を自由に変更できる環境を与えてしまうと自分勝手に無茶な温度設定を行ってしまう虞がある。
【０００８】
一方、上述した従来の空調制御システムでは、対象空間に存在する利用者からの温度に関する要望を各利用者が個人的に操作するパソコンから収集しているが、一般に小学校や中学校の教室には各生徒が個人的に操作するパソコンが設置されていないので、教室の壁などに設置された入力装置（リモートコントローラ）を使うことが前提となる。しかしながら、授業中に生徒が勝手に席を立って入力装置を操作することは当然ながら禁止されており、休み時間などの限られた時間内で収集される要望に応じて効率的に温熱環境を調節する必要がある。
【０００９】
本発明は上記事情に鑑みて為されたものであり、その目的は、利用者の要望を収集する機会が極めて少ない環境下においても対象空間の温度を適切に調整することができる空調制御システムを提供することにある。
【課題を解決するための手段】
【００１０】
請求項１の発明は、上記目的を達成するために、対象空間の温度を変動させる空調機器と、当該対象空間の温度を目標温度に一致させるように空調機器の動作を制御する空調制御装置と、前記対象空間に存在する利用者が入力する当該対象空間の温度に対する要望情報を受け付けるとともに当該要望情報を空調制御装置に提供する入力装置とを備え、空調制御装置は、所定の受付時間内に入力装置で受け付けられた全ての要望情報を解析し、当該利用者の総数に対する同一内容の要望情報の個数の割合からなる要望率を、互いに内容が異なる複数種類の要望情報毎に演算する要望率演算手段と、複数種類の要望情報毎に要望率演算手段で演算された複数種類の要望率の比率に応じて目標温度を変更する目標温度変更手段とを具備し、目標温度変更手段は、複数種類の要望率の比率が高くなるにつれて目標温度の変更幅を大きくすることを特徴とする。
【００１１】
請求項１の発明によれば、空調制御装置の目標温度変更手段が、複数種類の要望情報毎に要望率演算手段で演算された複数種類の要望率の比率に応じて目標温度を変更するとともに、複数種類の要望率の比率が高くなるにつれて目標温度の変更幅を大きくするので、利用者の要望を収集する機会が極めて少ない環境下においても対象空間の温度を適切に調整することができる。
【００１２】
請求項２の発明は、請求項１の発明において、目標温度変更手段は、複数種類の要望率の比率に応じて目標温度を変更した後に所定時間が経過したら、複数種類の要望率の比率に応じて変更した目標温度の変更幅よりも狭い変更幅で、且つ前記所定時間の経過前に行われた目標温度の変更と逆向きに目標温度を変更することを特徴とする。
【００１３】
請求項２の発明によれば、相対的に大きい幅で目標温度が変更された場合、一時的に利用者の満足感を満たすことはできるが、時間が経過するにつれて温度が高すぎる、或いは低すぎると感じて不快感を抱く利用者が増えることが考えられるが、所定時間が経過したら、目標温度変更手段が、複数種類の要望率の比率に応じて変更した目標温度の変更幅よりも狭い変更幅で、且つ前記所定時間の経過前に行われた目標温度の変更と逆向きに目標温度を変更するので、過度の温度変更によって利用者が不快感を抱くのを防ぐことができる。
【００１４】
請求項３の発明は、請求項２の発明において、目標温度変更手段は、前記所定時間経過前に行われた目標温度の変更向きが相対的にエネルギ消費を減らす場合には、前記所定時間経過後に目標温度を逆向きに変更しないことを特徴とする。
【００１５】
請求項３の発明によれば、例えば、所定時間経過前に行われた目標温度の変更が冷房温度を上げたり、暖房温度を下げるというようにエネルギ消費を減らす向きの変更であった場合に、所定時間経過後に逆向きに変更するとエネルギ消費を増やしてしまうことになるから、そのような場合は目標温度を変更しないことで省エネルギを図ることができる。
【００１６】
請求項４の発明は、請求項２又は３の発明において、複数の対象空間毎に設けられた前記空調機器及び空調制御装置及び入力装置と、各対象空間の空調制御装置を個別に制御するセンタ装置とを備え、センタ装置は、各空調制御装置から目標温度の変更に関する情報を収集し、複数の空調制御装置における目標温度の変更がエネルギ消費を増やす向きの変更である場合には、当該複数の空調制御装置が目標温度を変更するタイミングをずらすように各空調制御装置を制御することを特徴とする。
【００１７】
請求項４の発明によれば、複数の空調機器における電力消費が同時に増大することを防ぐことができる。
【発明の効果】
【００１８】
本発明によれば、利用者の要望を収集する機会が極めて少ない環境下においても対象空間の温度を適切に調整することができる。
【発明を実施するための最良の形態】
【００１９】
以下、教室内を対象空間とする空調制御システムに本発明の技術思想を適用した実施形態について、図面を参照して詳細に説明する。
【００２０】
本実施形態の空調制御システムは、図１（ａ）に示すように対象空間である教室内の温度を目標温度に一致させるように変動（調整）する空調機器（エアコンディショナ）２と、空調機器２の運転／停止を切り換えたり、空調機器２に対して目標温度を指示することでその動作を制御する空調制御装置１と、教室に存在する利用者（教室に居る教師及び生徒）が入力する教室内の温度に対する要望情報の申告（入力）を受け付けるとともに当該要望情報を空調制御装置１に提供する入力装置３とが複数の教室毎に設けられるとともに、各教室の空調制御装置１を個別に制御するセンタ装置４を備えてなる。
【００２１】
入力装置３は、教室を利用する利用者（例えば、当該教室が割り当てられているクラスの生徒及び教師）を識別するための識別情報と当該利用者の要望情報の入力を受け付ける第１及び第２の入力受付部３０ａ，３０ｂと、後述する要望情報の受付状況を利用者に提示するための表示部３１と、空調制御装置１との間で有線又は無線の通信を行う通信部３２と、マイクロコンピュータからなり、これら各部を制御するとともに信号処理を行う演算制御部３３とを具備している。また、図１（ｂ）に示すように、入力装置３は扁平な箱形の合成樹脂成形品からなる筐体３４を具備し、この筐体３４内に上記各部が収納されている。筐体３４の前面には表示部３１が具備する表示デバイス（液晶ディスプレイなど）の表示面３１ａが露出し、その側方に２つの記号「△」，「▽」が上下方向に並べて記されている。尚、このように構成される入力装置３は、例えば、教室内の出入口近傍の壁などに設置される。
【００２２】
ここで、本実施形態では小学校や中学校の校舎に設置されることを想定しており、特に利用者が小学生である場合には、テンキーなどを使って識別情報（ＩＤ番号）や要望情報を入力することが困難であることが予想され、しかも、２種類の情報（識別情報と要望情報）を入力する操作が面倒である。
【００２３】
そこで本実施形態においては、各利用者に貸与されるＲＦＩＤタグ（図示せず）に当該利用者の識別情報（例えば、所属する学年及びクラスと主席番号など）を予め記憶させ、このＲＦＩＤタグに記憶されている識別情報を第１及び第２の入力受付部３０ａ，３０ｂで読み取るようにしている。さらに本実施形態では、「温度を上げてほしい」という内容の要望の入力と「温度を下げてほしい」という内容の要望の入力とを別々に受け付ける必要があるから、前者の要望に対応した第１の入力受付部３０ａと、後者の要望に対応した第２の入力受付部３０ｂとが設けてある。尚、筐体３４内の記号「△」が記されている部位に第１の入力受付部３０ａのアンテナ（コイル）が配設されるとともに、記号「▽」が記されている部位に第２の入力受付部３０ｂのアンテナ（コイル）が配設されている。
【００２４】
したがって、利用者が「温度を上げてほしい」という内容の要望を入力する場合、自分のＲＦＩＤタグを入力装置３の筐体３４前面における記号「△」が記されている箇所に近付ければ、当該ＲＦＩＤタグの識別情報が電磁波若しくは電波により第１の入力受付部３０ａで読み取られることによって、当該利用者の識別情報と要望情報（「温度を上げてほしい」という内容の要望）の入力が受け付けられることになる。同様に、利用者がＲＦＩＤタグを入力装置３の筐体３４前面における記号「▽」が記されている箇所に近付ければ、当該ＲＦＩＤタグの識別情報が第２の入力受付部３０ｂで読み取られることによって、当該利用者の識別情報と要望情報（「温度を下げてほしい」という内容の要望）の入力が受け付けられる。第１及び第２の入力受付部３０ａ，３０ｂで受け付けられた識別情報と要望情報は演算制御部３３に取り込まれ、演算制御部３３で信号処理がされた後に通信部３２より空調制御装置１に向けて送信される。
【００２５】
空調制御装置１は、マイクロコンピュータからなる演算処理部１０と、入力装置３との間で有線又は無線で通信する第１通信部１１と、センタ装置４との間で有線又は無線で通信する第２通信部１２と、半導体メモリや磁気記憶装置からなる記憶部１３とを具備している。また演算処理部１０は、Ｉ／Ｏ部（図示せず）を通じて空調機器２からの運転状態情報（冷房運転中、暖房運転中、停止中など）などを収集する情報収集機能と、所定の受付時間（後述する）内に入力装置３で受け付けられた全ての要望情報を解析し、当該利用者の総数に対する同一内容の要望情報の個数の割合からなる要望率を、互いに内容が異なる複数種類（本実施形態では、「温度を上げてほしい」、「温度を下げてほしい」の２種類）の要望情報毎に演算する要望率演算機能と、２種類の要望情報毎に要望率演算機能で演算された要望率のうちで最も要望率の高い要望情報の内容に応じて目標温度を変更する目標温度変更機能と、Ｉ／Ｏ部を通じて空調機器２に目標温度を指示することによって空調機器２の運転状態を制御する空調機器制御機能とを有している。尚、これらの機能は、それぞれの機能に対応するソフトウェア（プログラム）をマイクロコンピュータで実行することによって実現される。
【００２６】
センタ装置４は汎用のコンピュータ装置で専用のソフトウェア（プログラム）を実行することによって実現されるものであり、図１（ａ）では１台の空調制御装置１のみを図示しているが、実際には校舎の全教室に設けられている全ての空調制御装置１と通信可能となっている。
【００２７】
次に、本実施形態の具体的な動作を説明する。従来技術で説明したように、学校の教室では各利用者（教師及び生徒）に対して個別の入力装置を用意することができないから、各教室に１台だけ設置されている入力装置３を全ての利用者で共用することになり、しかも、利用者（特に生徒）は授業中に自由に入力装置３を操作することができず、１時限目の授業が始まるまでの時間や授業時間の合間の休み時間にしか、入力装置３を操作して温熱環境（教室内の室温）に対する要望を申告（入力）することができない。
【００２８】
そこで本実施形態の空調制御装置１では、記憶部１３に予め記憶されている授業時間及び休み時間のタイムスケジュールに則り、利用者に対して要望の申告（入力）が認められた始業前の時間や休み時間（以下、「受付時間」と呼ぶ。）の開始時刻になると、演算処理部１０から受付時間の開始を指示する制御情報を第１通信部１１から入力装置３に送信する。そして、入力装置３では、通信部３２を通じて当該制御情報を受け取った演算制御部３３が第１及び第２の入力受付部３０ａ，３０ｂを起動して入力の受付待機状態となり、さらに受付時間の残時間と当該受付時間における要望内容毎の申告数と要望を申告していない未申告者の数とを表示部３１に表示させる。この受付時間内に利用者が自らのＲＦＩＤタグを第１又は第２の入力受付部３０ａ，３０ｂに識別情報を読み取らせることで要望を申告（入力）すれば、演算制御部３３が第１又は第２の入力受付部３０ａ，３０ｂから受け取った識別情報と要望情報を直ちに通信部３２を通して空調制御装置１に送信する。
【００２９】
空調制御装置１の演算処理部１０は、図２のフローチャートに示すように受付時間内に申告された要望情報を識別情報とともに入力装置３から収集し（ステップｓ１）、識別情報に基づいて同一の利用者が同一の受付時間内に重複して要望を申告していないかをチェックし、重複して申告されていない要望情報のみを有効なデータ（制御用有効データ）として抽出する（ステップｓ２）。さらに演算処理部１０は、制御用有効データを用いて目標温度の決定処理を実行する（ステップｓ３）。
【００３０】
目標温度の決定処理は、以下のような合意形成ロジックに基づいて実行される。演算処理部１０は利用者の総数に対して、２種類（「温度を上げてほしい」という内容と「温度を下げてほしい」という内容）の要望毎にそれぞれの申告数の割合を百分率（％）で表した要望率を演算する。さらに演算処理部１０は、図３に示すように「温度を下げてほしい」という内容の要望の要望率をｘ軸、「温度を上げてほしい」という内容の要望の要望率をｙ軸とする二次元直交座標系に判定基準の領域Ｓｎ（ｎ＝１，２，３，…，７）を設け、演算した２種類の要望率をそれぞれｘ座標及びｙ座標とする点をプロットすることで条件に適合する領域Ｓｎを決定する。大まかには、ｘ軸の要望率に対してｙ軸の要望率の比率が高い領域では目標温度を上げる向きに変更し、ｙ軸の要望率に対してｘ軸の要望率の比率が高い領域では目標温度を下げる向きに変更し、２種類の要望率の比率が１に近い領域では目標温度を変更しないというように分けられるが、さらに本実施形態では、目標温度を変更する場合に、ｘ軸の要望率に対するｙ軸の要望率の比率が高くなるにつれて目標温度を上げる向きの変更幅が大きくなり、且つｙ軸の要望率に対するｘ軸の要望率の比率が高くなるにつれて目標温度を下げる向きの変更幅が大きくなるように領域を細分化している。
【００３１】
すなわち、図３（ｂ）に示すようにｘ軸及びｙ軸の要望率１００％の点を結んだ直線イ、ｘ軸及びｙ軸の要望率６０％の点を結んだ直線ロ、ｘ軸の要望率が３５％の点とｙ軸の要望率が６５％の点を結んだ直線ニ、並びにｙ軸に囲まれた領域をＳ１とし、直線ロ及びニ、ｘ軸及びｙ軸の要望率４０％の点を結んだ直線ハ、並びにｙ軸に囲まれた領域をＳ２とし、直線ハ及びニ、ｙ軸の要望率が１０％の直線ト、並びにｙ軸に囲まれた領域をＳ３としており、領域Ｓ３に対する変更幅を＋０．５℃としたときに領域Ｓ２に対する変更幅を２倍の＋１．０℃、領域Ｓ１に対する変更幅を４倍の＋２．０℃に設定している。同様に、直線イ及びロ、ｘ軸の要望率が６５％の点とｙ軸の要望率が３５％の点を結んだ直線ホ、並びにｘ軸に囲まれた領域をＳ４とし、直線ロ及びハ及びホ、並びにｘ軸に囲まれた領域をＳ５とし、直線ハ及びホ、ｘ軸の要望率が１０％の直線ヘ、並びにｘ軸に囲まれた領域をＳ６としており、領域Ｓ６に対する変更幅を−０．５℃としたときに領域Ｓ５に対する変更幅を２倍の−１．０℃、領域Ｓ４に対する変更幅を４倍の−２．０℃に設定している。尚、直線イ，ニ，ホ，ヘ，ト並びにｘ軸，ｙ軸に囲まれた領域Ｓ７が目標温度を変更しない領域となる。
【００３２】
そして、演算処理部１０は、２種類の要望率をそれぞれｘ座標及びｙ座標とする点をプロットすることで条件に適合する領域Ｓｎ、すなわち、目標温度の変更幅±ΔＴｎ（ΔＴ１＝±０．５℃、ΔＴ２＝±１．０℃、ΔＴ３＝±２．０℃）を決定し、現在の目標温度Ｔｘを新しい目標温度Ｔｘ（＝現在の目標温度Ｔｘ±ΔＴｎ）に変更する（ステップｓ４）。この目標温度Ｔｘの決定後、演算処理部１０は、センタ装置４が各空調制御装置１を制御するためのフィードバック情報を更新して第２通信部１２よりセンタ装置４に送信する（ステップｓ５）。
【００３３】
センタ装置４においては、全ての空調制御装置１からフィードバック情報（目標温度の変更計画）を取得した後、これら全ての変更計画に基づき、目標温度の変更に伴うエネルギ消費（電力消費）の変化（特に増加）を予測し、その変化のピークを抑えるように各空調制御装置１における変更計画実行のタイミング（時刻）をずらしたタイムスケジュールを作成する。そして、作成したタイムスケジュールに則って、センタ装置４が各空調制御装置１に対して変更計画を実行（目標温度を変更）するタイミング（制御開始時刻）を指示する。
【００３４】
空調制御装置１の演算処理部１０は、センタ装置４から指示されたタイミング（制御開始時刻）を確認し（ステップｓ６）、制御開始時刻になると空調機器２に対して変更後の目標温度を指示する（ステップｓ７）。空調機器２では、図示しない温度センサで検出する教室内の温度を指示された目標温度に一致させるように冷房運転又は暖房運転を行う。このとき、演算処理部１０から入力装置３にも制御開始時刻が通知され、当該制御開始時刻が入力装置３の表示部３１で表示される。
【００３５】
ところで、利用者の要望に応じて目標温度が変更され一時的に温熱環境に対する利用者の不満が解消されたとしても、利用者の身体が変更後の温熱環境に慣れてしまうと、今度は変更前の温熱環境に戻すような要望が発生しがちである。そこで、空調制御装置１の演算処理部１０では、制御開始時刻から所定時間が経過するまで待機した後（ステップｓ８）、制御開始時刻における変更向きと逆向きに再度目標温度を変更する制御を行っている。例えば、図４に示すように午前９時１５分が制御開始時刻であって、目標温度を２７．０℃から２５．０℃に下げる向きに変更したとした場合、演算処理部１０は、制御開始時刻から所定時間（例えば、１５分）が経過した時点（午前９時３０分）で目標温度を逆向き（上げる向き）に変更して２６．０℃とし、当該目標温度を空調機器２に指示するのである。
【００３６】
但し、所定時間経過後に再度行われる目標温度の変更が空調機器２における電力消費を増やすものである場合、具体的には冷房運転時において目標温度を下げる向きの変更である場合、あるいは暖房運転時において目標温度を上げる向きの変更である場合には、省エネルギの観点から、目標温度の再変更を行わないことが望ましい。故に本実施形態では、制御開始時刻において行う目標温度の変更が電力消費を減らす向きの変更であった場合、その逆向きの変更は当然に電力消費を増やす向きの変更であるから、どちら向きの変更であるかを演算処理部１０で判定し（ステップｓ９）、所定時間経過後の変更が電力消費を増やす向きの変更であれば当該変更を行わず、電力消費を減らす向きの変更である場合にだけ当該変更を行う（ステップｓ１０）。
【００３７】
そして、ステップｓ１〜ｓ１０までの処理が終了したら、演算処理部１０は、次回の受付時間（例えば、次の休み時間）が開始する時刻まで待機し、次回の受付時間の開始時刻になれば、再びステップｓ１の処理を開始する（ステップｓ１１）。
【００３８】
上述のように本実施形態の空調制御システムによれば、空調制御装置１の目標温度変更手段（演算処理部１０）が、複数種類の要望情報毎に要望率演算手段（演算処理部１０）で演算された複数種類の要望率の比率に応じて目標温度を変更するとともに、複数種類の要望率の比率が高くなるにつれて目標温度の変更幅を大きくするので、利用者の要望を収集する機会が極めて少ない環境下においても対象空間（教室）の温度を適切に調整することができる。
【００３９】
ここで、本発明に係る空調制御システムは、対象空間を教室に限定するものではなく、利用者による要望の申告が物理的あるいは時間的に極めて制限されている空間、例えば、映画館や講演会場、あるいは鉄道の客車などを対象空間とする場合に非常に有効である。鉄道の客車内を対象空間とする場合、乗車口の近傍に入力装置３を配設すればよい。また、新幹線や特急列車のように長距離を移動する客車には、車内に電光掲示板が設けられていることが多いから、入力装置３の表示部３１に表示する内容を当該電光掲示板に表示させることで視認性が向上する。また、客車に乗車した直後は快適であっても、乗車時間が経過するにつれて不快感（例えば、冷房の効き過ぎによる寒さ）を感じることが多いと言われているので、上述したように所定時間経過後に目標温度を逆向きに変更することが有効である。
【図面の簡単な説明】
【００４０】
【図１】本発明の実施形態を示し、（ａ）はシステム構成図、（ｂ）は入力装置の正面図である。
【図２】同上の動作説明用のフローチャートである。
【図３】同上における目標温度の決定方法を説明するための説明図である。
【図４】同上の動作説明用のタイムチャートである。
【符号の説明】
【００４１】
１  空調制御装置
２  空調機器
３  入力装置
１０  演算処理部（要望率演算手段、目標温度変更手段）
３０ａ  第１の入力受付部
３０ｂ  第２の入力受付部
【図１】
2009204187.tif 000003
【図２】
2009204187.tif 000004
【図３】
2009204187.tif 000005
【図４】
2009204187.tif 000006